(57)【特許請求の範囲】
【請求項１】
回転軸と、回転子鉄心と、前記回転子鉄心の外周に配設された複数の永久磁石と、前記複数の永久磁石の周囲を取り囲むように構成された単数ないし複数の導通回路からなり、前記導通回路を流れる誘導電流によって作られる回転中の磁極位置によるインダクタンスの差から前記回転子の回転位置を検出する永久磁石型回転電機の回転子の製造方法であって、
前記導通回路を、焼結永久磁石の焼結温度あるいは時効処理温度と同等あるいは高い融点をもつ導電材料で形成し、前記導電材料の一部あるいは全部を、高温炉内で溶融して成形する工程と、
前記永久磁石と前記導通回路を導通部材として一体に成形する工程と
を備えることを特徴とする永久磁石型回転電機の回転子の製造方法。
【請求項２】
請求項１に記載の永久磁石型回転電機の回転子の製造方法において、
高融点金属製の金型内に、前記複数の永久磁石を配置し、間隙部に導電性粉末材料を充填し、前記高温炉内で前記粉末材料を溶融・固化後、一体化された導電部材を、永久磁石を取り囲む枠形状に切り離し、永久磁石と導電部材との一体成形品を得る工程を備えることを特徴とする永久磁石型回転電機の回転子の製造方法。
【請求項３】
請求項１に記載の永久磁石型回転電機の回転子の製造方法において、
窓枠状に形成した前記導電部材に前記永久磁石を挿入し、焼結あるいは時効処理を行う工程を備えることを特徴とする永久磁石型回転電機の回転子の製造方法。
【請求項４】
請求項１に記載の永久磁石型回転電機の回転子の製造方法において、
前記導通回路を金型内に配置し、磁石粉末と樹脂とのコンパウンドからなる永久磁石材料を射出注入して前記導通部材を成形する工程を備えることを特徴とする永久磁石型回転電機の回転子の製造方法。
【発明の詳細な説明】
【技術分野】
【０００１】
本発明は、回転子鉄心に永久磁石を備え、整流子を用いずに回転する永久磁石型回転電機の回転子の製造方法に関する。
【背景技術】
【０００２】
回転子鉄心に永久磁石を備え、整流子を用いずに駆動する方式の回転電機としては、回転子あるいは制御基板側に位置センサを取り付ける回転電機（以下、センサ付回転電機と呼ぶ）がある。このセンサ付回転電機のセンサは、レゾルバ（例えば、特許文献１参照）、ホール素子（例えば、特許文献２参照）などの方式がある。
【０００３】
また、回転センサを設けない回転電機（以下、センサレス回転電機と呼ぶ）として、発生する誘起電圧波形を読み取る方式（例えば、特許文献３参照）がある。
【０００４】
【特許文献１】特開２００２−３１５３８２号公報
【特許文献２】特開２００３−２７４６２３号公報
【特許文献３】特開２００５−２２４０４８号公報
【発明の開示】
【発明が解決しようとする課題】
【０００５】
しかしながら、特許文献１のように、位置センサとしてレゾルバを用いる場合には、高コストの問題とともに、回転子が重くなるためイナーシャが大きくなる等の問題がある。また、特許文献２のように、位置センサとしてホール素子を用いる場合には、素子自体が高コストであるとともに、検出精度を上げるためにセンサ用の永久磁石を設ける必要があり、さらに高コストとなる等の問題がある。加えて、界磁用永久磁石と、センサ用の永久磁石との間で磁極の位置ずれが生じる場合もあり、回転位置の検出精度が悪くなる等の問題もある。また、特許文献３では、誘起電圧が回転中でしか発生しないため、起動時や低速運転時の位置検出が困難になる等の問題がある。
【０００６】
本発明は、上述のような課題を解決するためになされたものであり、簡単な構成を有し、かつ精度よく回転位置を検出できる永久磁石型回転電機の回転子の製造方法を得ることを目的とする。
【課題を解決するための手段】
【０００７】
本発明に係る永久磁石型回転電機の回転子の製造方法は、回転軸と、回転子鉄心と、回転子鉄心の外周に配設された複数の永久磁石と、複数の永久磁石の周囲を取り囲むように構成された単数ないし複数の導通回路からなり、導通回路を流れる誘導電流によって作られる回転中の磁極位置によるインダクタンスの差から回転子の回転位置を検出する永久磁石型回転電機の回転子の製造方法であって、導通回路を、焼結永久磁石の焼結温度あるいは時効処理温度と同等あるいは高い融点をもつ導電材料で形成し、導電材料の一部あるいは全部を、高温炉内で溶融して成形する工程と、永久磁石と導通回路を導通部材として一体に成形する工程とを備えるものである。
【発明の効果】
【０００８】
本発明によれば、導通回路と永久磁石とを一体成形した導電部材を用いることで、回転子中の磁極のピッチと導電部材のピッチを一致させることができ、簡単な構成を有し、かつ精度よく回転位置を検出できる永久磁石型回転電機の回転子の製造方法を得ることができる。
【発明を実施するための最良の形態】
【０００９】
以下、本発明の永久磁石型回転電機の回転子、および永久磁石型回転電機の回転子の製造方法の好適な実施の形態につき図面を用いて説明する。
【００１０】
実施の形態１．
図１は、本発明の実施の形態１における永久磁石型回転電機の回転子の一部を示す図である。回転子１は、回転子鉄心２、永久磁石３、導電部材４、および回転軸（図示せず）で構成される。また、永久磁石３は、回転子鉄心２の表面上に複数配置される。ここで、永久磁石３は、希土類焼結磁石である。
【００１１】
導電部材４は、複数の永久磁石３におけるそれぞれ個別の永久磁石３の周囲を取り囲むようにして設けられている。その際、隣り合う導電部材４同士は、電気的に絶縁されるようにして配置される。導電部材４は、回転子鉄心２、回転軸（図示せず）とは絶縁されていることが望ましい。また、外周部に永久磁石３を保護するための導電性の飛散防止部材（例えば、ＳＵＳ管など）が設けられている場合には、飛散防止部材とも絶縁されていることが望ましい。導電部材４がこれらの部材と絶縁されることで、位置検出の精度を高めることができる。
【００１２】
その一方で、導電部材４は、永久磁石３とは電気的に導通していることが好ましい。永久磁石３が高磁力である場合（例えば、希土類焼結磁石）には、導電性の材料が混入されていることが多いため、永久磁石３も導通回路の一部として使用することができる。
【００１３】
なお、導電部材４は、回転子１中、１つまたは複数以上あればよいが、図１および以下の例では、永久磁石３の磁極数と導電部材４の数が一致している場合について説明する。
【００１４】
導電部材４は、銅やアルミなど、永久磁石３と同等あるいはそれ以上の導電率をもつ材料であり、永久磁石３を取り囲むような窓枠形状を成しており、永久磁石３と一体に成形されている。図２は、本発明の実施の形態１における永久磁石３と導電部材４の一体成形品を示した図であり、以下では、この一体成形品を導体付永久磁石５と呼ぶ。
【００１５】
導体付永久磁石５の一体成形の方法としては、希土類焼結永久磁石の焼結処理工程、あるいは時効処理工程を利用する。まず始めに、焼結処理工程を利用した場合について説明する。
【００１６】
導電部材４の材料として、例えば、銅などの金属粉末を用いた場合、その融点は、約１０８０℃であり、磁石の焼結温度約１１００℃と略一致する。このため、導電部材４は、焼結工程で溶融状態となり、永久磁石３と一体に成形することができる。
【００１７】
図３は、本発明の実施の形態１における焼結処理工程で一体成形した導体付永久磁石５を示す図である。図３に示すように、永久磁石３を取り囲むような窓枠形状の導電部材４を形成するために、モリブデン等の高融点金属製の金型６内に、永久磁石３と、金属粉末７とを充填し、焼結炉内で焼結処理を行う。金属粉末７と金型６との離型性をよくするために、金型６内にアルミナ粉末等を塗布しておいてもよい。焼結処理により、永久磁石３は、収縮するが、金属粉末７も溶融状態となるため、永久磁石３に追随して固化し、焼結処理後、導体付永久磁石５が得られる。
【００１８】
窓枠形状の導電部材４を形成する他の方法として、以下の方法を用いてもよい。図４は、本発明の実施の形態１における別の焼結処理工程で一体成形した導体付永久磁石５を示す図である。図４のような金型内に永久磁石３を複数配置し、その間に金属粉末７を充填し、焼結処理を行う。焼結後、固化した銅材料を、窓枠形状を成すように切り離し、導体付永久磁石５を得る。
【００１９】
この方法によれば、金型の個数を減らすことができ、離型の工程を簡略化できる。なお、この例では、導電部材４は、銅材料としたが、焼結温度で半溶融あるいは完全溶融状態となる導電性金属材料であれば、この限りではない。
【００２０】
次に、永久磁石３の時効処理の工程で、導体付永久磁石５を成形する方法について説明する。導電部材４の材料として、例えば、アルミ材料を用いる場合、その融点は、６００〜７００℃であり、希土類焼結磁石の時効処理温度（４８０〜６００℃）下では、半溶融状態である。そこで、窓枠形状にしたアルミ製の導電部材４を、永久磁石３に嵌め合わせて時効処理を行うことにより、永久磁石３との接触面が溶融・固化され、導体付永久磁石５が得られる。なお、この例では、導電部材４は、アルミ材料としたが、時効処理温度で半溶融状態となる導電性金属材料であれば、この限りではない。
【００２１】
また、例えば、窓枠形状の導電部材４に銅材料のような融点の高い金属材料を使う場合には、窓枠状の導電部材４と永久磁石３との隙間に時効処理温度で溶融するような金属粉末７を充填して成形してもよい。
【００２２】
以上のような製造方法によって成形された導体付永久磁石５を、回転子鉄心２に組み付けすることにより、回転子１を得る。
【００２３】
このような構成によれば、ひとつの永久磁石３の周囲に、ひとつの導通回路が形成されたことになる。永久磁石３と導電部材４とが電気的に導通している場合には、永久磁石３も含めて、ひとつの導通回路となる。これら導通回路が単数ないし複数設けられた回転子１を持った回転電機において、固定子巻線に高調波成分を含む電流を印加すると、導通回路に渦電流が流れることになり、磁極位置、例えば、磁極中心部付近、磁極間付近などで、異なるインダクタンスとなる。この各位置でのインダクタンス差が、すなわち、回転子１の回転位置を表すことになる。
【００２４】
このような回転子１を適用すれば、レゾルバやエンコーダといった回転位置検出部材を別途設ける必要がない。さらに、永久磁石３と導電部材４とを一体成形して一部品とすることで、回転子鉄心２への組み付けが容易となり、従来の表面配置型永久磁石回転子と同様の製造方法で、回転子１を得ることができる。また、回転子へ組み付けた際の各磁極のピッチと、各導体のピッチを等しくすることができ、位置検出精度を高めることができる。
【００２５】
また、導電部材４は、回転子１中の１つあるいは複数の永久磁石３の周囲に設けられていればよく、全ての永久磁石３に設けられていなくてもよい。導電部材４は、回転子１中に１つ以上設けられていれば、磁極位置によるインダクタンス差を検出することができる。
【００２６】
なお、本実施の形態１は、すべて表面配置型永久磁石（ＳＰＭ）を適用する場合について説明したが、埋め込み型永久磁石（ＩＰＭ）を適用してもよい。ＩＰＭの場合は、上述した製造方法で得られた導体付永久磁石５を、埋込用孔に挿入すればよい。
【００２７】
以上のように、実施の形態１によれば、回転位置検出用の別部材（レゾルバやエンコーダ）を設けることなく、かつ起動時や低速時の回転子位置を検出することができる永久磁石型回転電機の回転子を、簡単な構成で得ることができる。さらに、永久磁石と導通回路とを一体の部品として扱うことができ、回転子鉄心への組み付けが容易となり、従来の表面配置型永久磁石回転子と同等の方法で製造できる。さらに、永久磁石ピッチに対する導通回路のピッチのばらつきを抑えることができ、位置検出の精度も向上する。
【００２８】
また、導通回路は、焼結永久磁石の焼結温度あるいは時効処理温度と同等あるいは高い融点をもつ導電材料から構成することができる。このような構成により、希土類焼結永久磁石の一般的な処理工程（焼結処理・時効処理）を利用して、導電部材と永久磁石との一体成形品を得ることができる。
【００２９】
また、高融点金属製の金型内に、複数の永久磁石を配置し、間隙部に導電性粉末材料を充填し、高温炉内で粉末材料を溶融・固化後、一体化された導電部材を、永久磁石を取り囲む枠形状に切り離し、永久磁石と導電部材との一体成形品を得ることができる。このような構成により、永久磁石と導電部材の一体成形品を複数同時に得ることができ、金型との離型も簡略化できる。
【００３０】
また、窓枠状に形成した導電部材に永久磁石を挿入し、焼結あるいは時効処理を行うことができる。このような構成を有することにより、導電部材は、半溶融状態（完全溶融ではない）であるため、枠型形成用の金型を別途設けることなく、永久磁石と導電部材の一体成形品を複数同時に得ることができる。
【００３１】
実施の形態２．
図５は、本発明の実施の形態２における永久磁石型回転電機の回転子の製造方法を示すフローチャートである。本実施の形態２において、永久磁石３は、磁石粉末と樹脂の混練材料とを射出成形してなるボンド磁石であり、永久磁石３の射出成形の際に、導電部材４を金型内に配置し、混練材料を射出注入して、導体付永久磁石５を成形する。また、高磁力の永久磁石３が必要であれば、射出成形後、脱脂、焼結してもよい。
【００３２】
このような構成によれば、実施の形態１と同様、回転位置検出部材を別途設ける必要がなく、永久磁石３と導電部材４とを一部品として扱うことができ、回転子鉄心２への組み付けが容易となり、従来の表面配置型永久磁石回転子と同様の製造方法で回転子を得ることができる。
【００３３】
また、図６は、本発明の実施の形態２における回転子１のかご型の導電部材４を示す図である。図６に示すように、上端と下端を短絡させたかご型の導電部材４を金型内に配置し、導体バー間に永久磁石材料を射出注入し、複数の磁極を同時に成形してもよい。このような方法であれば、導体付永久磁石５は、表面配置型リング磁石と同様に取り扱うことができ、回転子鉄心への組み付けが容易となる。また、従来の表面配置型リング磁石と比較しても、極間の永久磁石材料を減らすことができ、低コストとなる回転子１を得ることができる。
【００３４】
なお、図６の例では、複数の導電部材４がすべて短絡されているが、このような場合でも、かご型導体を流れる誘導電流により、磁極位置を検出することができる。かご型導体を利用して磁極位置を検出する場合には、永久磁石３と導電部材４とは電気的に絶縁されていることが望ましい。
【００３５】
以上のように、実施の形態２によれば、導通回路を金型内に配置し、磁石粉末と樹脂とのコンパウンドからなる永久磁石材料を射出注入して導通部材を成形することができる。このような構成により、回転位置検出用の別部材（レゾルバやエンコーダ）を設けることなく、かつ起動時や低速時の回転子位置を検出することができる永久磁石型回転電機の回転子を、簡単な構成で得ることができる。さらに、複数の導通回路を容易に製造することができる。
【図面の簡単な説明】
【００３６】
【図１】本発明の実施の形態１における永久磁石型回転電機の回転子の一部を示す図である。
【図２】本発明の実施の形態１における永久磁石と導電部材の一体成形品を示した図である。
【図３】本発明の実施の形態１における焼結処理工程で一体成形した導体付永久磁石５を示す図である。
【図４】本発明の実施の形態１における別の焼結処理工程で一体成形した導体付永久磁石５を示す図である。
【図５】本発明の実施の形態２における永久磁石型回転電機の回転子の製造方法を示すフローチャートである。
【図６】本発明の実施の形態２における回転子１のかご型の導電部材４を示す図である。
【符号の説明】
【００３７】
１  回転子、２  回転子鉄心、３  永久磁石、４  導電部材、５  導体付永久磁石、６  金型、７  金属粉末。
【図１】
0005317489.tif 000002
【図２】
0005317489.tif 000003
【図３】
0005317489.tif 000004
【図４】
0005317489.tif 000005
【図５】
0005317489.tif 000006
【図６】
0005317489.tif 000007